【手続補正書】
【提出日】令和3年8月16日(2021.8.16)
【手続補正１】
【補正対象書類名】明細書
【補正対象項目名】発明の名称
【補正方法】変更
【補正の内容】
【発明の名称】撮像装置及びその制御方法、プログラム、並びに記録媒体
【手続補正２】
【補正対象書類名】明細書
【補正対象項目名】０００１
【補正方法】変更
【補正の内容】
【０００１】
本発明は、撮像装置及びその制御方法、プログラム、並びに記録媒体に関し、特に、星空パノラマ撮影を行う撮像装置及びその制御方法、プログラム、並びに記録媒体に関する。
【手続補正３】
【補正対象書類名】明細書
【補正対象項目名】０００９
【補正方法】変更
【補正の内容】
【０００９】
本発明では、以上の課題を鑑み、パノラマ撮影において無駄な撮影をなくすことができる撮像装置及びその制御方法、プログラム、並びに記録媒体を提供することを目的とする。
【手続補正４】
【補正対象書類名】明細書
【補正対象項目名】００１０
【補正方法】変更
【補正の内容】
【００１０】
本発明の請求項１に係る撮像装置は、複数の画像を合成するパノラマ撮影を行う撮像装置であって、前記パノラマ撮影における開始点から終了点までの角度を示すパンニングの方向の第１の画角を設定する設定手段と、前記第１の画角及び撮影レンズの焦点距離に基づき、前記パノラマ撮影における撮影条件を算出する算出手段と、前記撮影条件を表示する表示手段と、前記合成の際に前記複数の画像に対し、前記撮影レンズの焦点距離に応じて前記パンニングの方向と異なる方向の画角を示す第２の画角を変更する変更手段と、前記設定された第１の画角及び前記表示手段により表示される撮影条件に応じて、前記変更手段で変更された後の前記第２の画角を算出する算出手段と、を備え、前記表示手段は、前記変更手段が変更した後の前記第２の画角を表示することを特徴とする。
本発明の請求項１１に係る撮像装置は、複数の画像を合成するパノラマ撮影を行う撮像装置であって、前記パノラマ撮影における開始点から終了点までの角度を示すパンニングの方向の第１の画角および前記パンニングの方向と異なる方向の画角を示す第２の画角を設定する設定手段と、前記第１の画角と前記第２の画角と撮影レンズの焦点距離とに基づき、前記パノラマ撮影における撮影条件を算出する算出手段と、前記撮像条件を表示する表示手段と、を備えることを特徴とする。
【手続補正５】
【補正対象書類名】明細書
【補正対象項目名】００１１
【補正方法】変更
【補正の内容】
【００１１】
本発明によれば、パノラマ撮影において無駄な撮影をなくすことができる。
【手続補正６】
【補正対象書類名】特許請求の範囲
【補正対象項目名】全文
【補正方法】変更
【補正の内容】
【特許請求の範囲】
【請求項１】
複数の画像を合成するパノラマ撮影を行う撮像装置であって、
前記パノラマ撮影における開始点から終了点までの角度を示すパンニングの方向の第１の画角を設定する設定手段と、
前記第１の画角及び撮影レンズの焦点距離に基づき、前記パノラマ撮影における撮影条件を算出する算出手段と、
前記撮影条件を表示する表示手段と、
前記合成の際に前記複数の画像に対し、前記撮影レンズの焦点距離に応じて前記パンニングの方向と異なる方向の画角を示す第２の画角を変更する変更手段と、
前記設定された第１の画角及び前記表示手段により表示される撮影条件に応じて、前記変更手段で変更された後の前記第２の画角を算出する算出手段と、を備え、
前記表示手段は、前記変更手段が変更した後の前記第２の画角を表示することを特徴とする撮像装置。
【請求項２】
前記パノラマ撮影は、星空パノラマ撮影であることを特徴とする請求項１記載の撮像装置。
【請求項３】
前記第２の画角の方向は、前記パンニングの方向と垂直であることを特徴とする請求項１又はは２記載の撮像装置。
【請求項４】
前記表示手段は、前記変更手段が変更する前の前記第２の画角を表示することを特徴とする請求項１乃至３のいずれか１項に記載の撮像装置。
【請求項５】
前記設定手段は、ユーザにより設定された画角を前記第１の画角として設定することを特徴とする請求項１乃至４のいずれか１項に記載の撮像装置。
【請求項６】
前記第１の画角は、ユーザにより設定された前記開始点と前記終了点に基づき、前記第１の画角を設定することを特徴とする請求項１乃至４のいずれか１項に記載の撮像装置。
【請求項７】
前記開始点は、プリ撮影された画像に基づきユーザにより設定されることを特徴とする請求項６記載の撮像装置。
【請求項８】
前記終了点は、プリ撮影された画像に基づきユーザにより設定されることを特徴とする請求項６又は７記載の撮像装置。
【請求項９】
前記撮影条件は、前記複数の画像の枚数及び前記パノラマ撮影の撮影時間の少なくとも１つであることを特徴とする請求項１乃至８のいずれか１項に記載の撮像装置。
【請求項１０】
前記パノラマ撮影において、前記複数の画像の１つを取得するため実行される第１の前記静止画撮影の際の位置から次に実行される第２の前記静止画撮影の際の位置までパンニングするために必要な本体の移動量を示す必要パンニング量を算出する算出手段と、
前記必要パンニング量が算出された後にユーザにより開始されたパンニングによる前記本体の移動量を取得する取得手段と、
前記取得手段により取得された前記本体の移動量が前記算出手段により算出された前記必要パンニング量に達したときに、第２の前記静止画撮影が可能である旨を通知する通知手段と、
前記通知手段による通知の後、ユーザにより撮影指示があったとき、第２の前記静止画撮影を実行する制御手段と、を備えることを特徴とする請求項１乃至９のいずれか１項に記載の撮像装置。
【請求項１１】
複数の画像を合成するパノラマ撮影を行う撮像装置であって、
前記パノラマ撮影における開始点から終了点までの角度を示すパンニングの方向の第１の画角および前記パンニングの方向と異なる方向の画角を示す第２の画角を設定する設定手段と、
前記第１の画角と前記第２の画角と撮影レンズの焦点距離とに基づき、前記パノラマ撮影における撮影条件を算出する算出手段と、
前記撮影条件を表示する表示手段と、を備えることを特徴とする撮像装置。
【請求項１２】
前記表示手段は、少なくとも前記第１の画角と前記第２の画角とのいずれかを更に表示することを特徴とする請求項１１記載の撮像装置。
【請求項１３】
前記第２の画角を変更する変更手段を備え、
前記表示手段は、前記変更手段が変更した後の前記第２の画角を表示することを特徴とする請求項１２記載の撮像装置。
【請求項１４】
前記撮影条件は、前記複数の画像の枚数及び前記パノラマ撮影の撮影時間の少なくとも１つであることを特徴とする請求項１１乃至１３のいずれか１項に記載の撮像装置。
【請求項１５】
複数の画像を合成するパノラマ撮影を行う撮像装置の制御方法であって、
前記パノラマ撮影における開始点から終了点までの角度を示すパンニングの方向の第１の画角を設定する設定ステップと、
前記第１の画角及び撮影レンズの焦点距離に基づき、前記パノラマ撮影における撮影条件を算出する算出ステップと、
前記撮影条件を表示する表示ステップと、
前記合成の際に前記複数の画像に対し、前記撮影レンズの焦点距離に応じて前記パンニングの方向と異なる方向の画角を示す第２の画角を変更する変更ステップと、
前記設定された第１の画角及び前記表示ステップにおいて表示される撮影条件に応じて、前記変更ステップにおいて変更された後の前記第２の画角を算出する算出ステップと、を有し、
前記表示ステップにおいて、前記変更ステップにおいて変更された後の前記第２の画角が表示されることを特徴とする制御方法。
【請求項１６】
複数の画像を合成するパノラマ撮影を行う撮像装置の制御方法であって、
前記パノラマ撮影における開始点から終了点までの角度を示すパンニングの方向の第１の画角および前記パンニングの方向と異なる方向の画角を示す第２の画角を設定する設定ステップと、
前記第１の画角と前記第２の画角と撮影レンズの焦点距離とに基づき、前記パノラマ撮影における撮影条件を算出する算出ステップと、
前記撮影条件を表示する表示ステップと、を有することを特徴とする制御方法。
【請求項１７】
請求項１５又は１６の制御方法を実行することを特徴とするプログラム。
【請求項１８】
請求項１７に記載のプログラムを記録したコンピュータ読み出し可能な記録媒体。